(57)【要約】【課題】農作物のマルチ被覆栽培において畝を被覆するフィルム内への薬液等の散布を、作業者にかける肉体的負担を軽減して効率よく行うことが出来る散布器を提供する。【解決手段】杖状の噴管と、噴管の上端にT字状に設けた握り管と、握り管に内設したコックと、噴管の下端に連接した突端を有するノズルとからなり、ノズルの噴出口を送液路の軸方向に対して偏向する湾曲面によって規定し、コック内の送液路を開閉制御する操作レバーを、握り管を握った手の親指で外部から開閉操作可能な位置において握り管に突設し、被覆フィルムにノズルを刺し通し、コックと噴管とノズルを連通する送液路に薬液等を供給し、操作レバーを操作してノズルの噴射口より薬液等をフィルムの下側で噴射散布させるようにした。【選択図】図１
0003153397.tif 000002
【実用新案登録請求の範囲】
【請求項１】
杖状の噴管と、噴管の一端にT字状に設けた管状の握りと、握りに内設したコックと、噴管の他端に連設したノズルとからなり、
マルチ被覆栽培における畝を被覆するフィルムにノズルを刺し通し、コックと噴管とノズルを連通する送液路に薬剤等を供給してノズルの噴射口よりフィルムの下側で噴射散布させる散布器であって、
コック内の送液路を開閉制御する操作レバーを、握りを握った手の親指で外部から開閉操作可能な位置において握りに突設し、
ノズルの噴射口を送液路の軸方向に対して偏向配置したことを特徴とする薬剤等の散布器。
【請求項２】
噴管を分岐させ分岐したそれぞれの管の先端にノズルを連結し、各ノズルの噴射口をノズルの送液路の軸の周りに噴射方向を可変に開口させた請求項１の散布器。
【請求項３】
ノズルの噴射口をノズル内の送液路の軸心を横切る偏向湾曲面によって規定した請求項１または２の散布器。
【請求項４】
噴管とノズルの合計長さを、握りを握った作業者が扱い易い長さに選定し、操作レバーの親指当てを、握りの外部に突出配置した請求項１から３のいずれかの散布器。
【考案の詳細な説明】
【技術分野】
【０００１】
本考案は、透明被覆材（マルチフィルム：以下フィルムと言う）で土壌表面を被覆して農作物を栽培するマルチ被覆栽培に於いて、フィルムで覆われた状態の土壌表面の雑草の除去や病害虫の防除のための薬剤及び/又は肥料の散布又は散水のための散布器に関するものである。
【背景技術】
【０００２】
農作物栽培時の地温を上げる目的で透明又は有色フィルムを使用しているが、フィルムで覆われた土壌表面の雑草や病害虫防除を行う場合、フィルム内に薬剤を散布するにはフィルムの裾(畝間側)を持ち上げる必要があるが、手間がかかり、また中腰での作業は重労働である。
【０００３】
フィルムで被覆された土壌への薬液注入器として、薬液供給路に連結したノズルを杖状の支軸の先端に設け、杖の上端を保持してノズルを土壌に突き刺し、その動作で供給路のポンプを作動させて薬液をノズルから土中に注入するものが知られている。  
【先行技術文献】
【特許文献】
【０００４】
【特許文献１】特開２００５−２１８４４３号
【考案の概要】
【考案が解決しようとする課題】
【０００５】
しかしながら、上記公知の器具は、薬剤を土中に注入するものであって、土壌表面に薬剤を散布することが出来ないという課題がある。
【課題を解決するための手段】
【０００６】
本考案は、上記課題を解決するために、フィルムに覆われたままの土壌表面への水、肥料、土壌処理剤、殺菌剤、殺虫剤、除草剤等の散布を、作業者が立ったまま効率よく行うことの出来る散布器であって、ノズル部、噴管部、コック部から構成され、コック部には薬液等の人力又は動力供給機を連結するようにしたものである。
【０００７】
ノズルは、先端を円錐又は角錐形状となし、フィルムへの突き刺し挿通を容易にする。ノズル軸心の通液路の先端部は内面を軸心に対して偏向又は直角方向に湾曲させてノズル円筒部の周面で横向きに開口させる。従って、通液路から噴射される圧力液は湾曲面によって、方向転換され平坦な扇状になってノズルから散布される。ノズル上端と噴管との接続部に小外径の“くびれ”を設けると、土壌表面とフィルムが密接している場合に、突き刺したフィルムからノズルを引き抜く方向に動かすと、フィルムがこの“くびれ”に引っかかってフィルムを持ち上げ、土壌とフィルムの間に隙間が出来るので、より広角の液の散布が出来る。噴管の途中に分岐金具を挿入してノズルを複数個設けると、ノズルからの液の散布範囲又は/及び方向を変えることが出来る。
【０００８】
噴管は作業者が立った姿勢で片手で扱うのに適した長さの杖状のパイプで、その上端には噴管と直角に又は適当な傾斜角度を持たせた管からなる握りを付設し、その内部にコック部を設ける。コック部は、液状の薬剤等の供給源と噴管の送液路を制御弁を介して連結するもので、この弁を開閉するレバーを握り管の先端に突設し、作業者が握りを握った手の親指でレバーを操作できるようにする。
【０００９】
散布量は供給源から供給される薬剤等の圧力をあらかじめ調節しておくか、開閉レバーの操作時間により調整する。
【考案の効果】
【００１０】
この考案によれば、フィルムを除くことなく、フィルムと土壌の間にノズルを挿入し、土壌表面とフィルムの間に空間を形成し、フィルムに覆われた土壌表面や作物に散水、施肥、薬剤散布等の作業を、立ち居の姿勢のままで、片手の操作で行うことが出来る。ノズルの“くびれ”によってフィルムを引き上げれば、土壌表面とフィルムの間の空間が広がり、より広範囲な散布が可能となる。散布は扇状に平らに水平に行うことが出来、複数個のノズルを設ければ、それぞれの噴射口の方向を変化調整して、広範囲な散布が出来るし、また散布方向を限定することにより、特定作物への薬剤等の散布を限定又は回避することも出来る。
【図面の簡単な説明】
【００１１】
【図１】（イ）は本考案の一実施例にかかる散布器の正面図である。（ロ）は各ノズルの噴射口から噴射される液の方向を模式的に示す平面図である。
【図２】図１の散布器の噴管下部とノズル部の拡大斜視図である。
【図３】図１の散布器の噴管上部の握り部の拡大縦断面図である。
【図４】（Ａ）、（Ｂ）、（Ｃ）はそれぞれ図１の散布器の異なる使用例を示す斜視図である。
【考案を実施するための形態】
【００１２】
以下本考案の実施の形態について詳細に説明する。
【実施例１】
【００１３】
図において、１は杖状の噴管で、好ましくは、作業者が立ったままで扱うのに適した長さと太さのパイプからなる。パイプの材質および横断面形状は問わない。２は、パイプ１の中間に設けた十字金具でパイプ１を三股に分岐する。分岐は二股でもよい。３は各分岐パイプの先端（下端）に取付けネジ４を介して設けたノズル取付管、５は各取付管３の先端（下端）に螺着したノズルで、その下端５１は円錐形となし（多角錐でもよい）、上端の取付管３への接続ネジ部５２には小径部を設けて“くびれ”６を形成する。７はノズルの横向き噴射口で、送液路８の軸方向に対して偏向させて(横向きに)開口させる。そのため、噴射口７は、送液路８の末端において軸芯に対して斜め、または、直角方向に横切って延長する湾曲面９によって規定される。この構成により、送液路８内を圧送されてきた液は、湾曲面９に当たって曲げられ、その面に沿って水平にまたは斜め上方もしくは下方に扇状に広がり噴射口７から散布される。噴射される液Lを図２に鎖線で模式的に示す。噴射液の扇状の広がり角度θは湾曲面９の曲率Rにより設定される。さらに、角度θは送液路８の液の圧力を調整することによっても変えることが出来る。取付けネジ４によって各ノズルの噴射口７の向きを変えることによって噴射液の散布方向を変えることが出来る。図１（ロ）において、噴射液Lの噴射方向を放射状の線で示す。
【００１４】
１０はパイプ１の他方端(上端)にT字状に附設した管状の握り、１１は握り１０に取付けネジ１２によって固定内設したコック、１３はコック１０内の折曲送液路、１４は薬液ホースHをコック１１の折曲送液路１３に接続する中空のグランド、１５は握り１０をパイプ1の上端に連結すると共に折曲送液路１３をパイプ１の送液路８に接続する取付けネジ、１６は折曲送液路１３の折曲部に配設した弁座で、コック１１の内ネジとグランド１４の外ネジの螺合によって所定位置に固定される。１７は弁座１６に当接離反する弁体、１８は弁体１７と一体の弁棒で、グランド１４の反対側の握り１０内において常時コック１１から突出する。１９は弁体１７を常時は弁座１６に押し付けて折曲送液路１３を閉止するコイルばね、２０は弁体１７の開閉操作レバー、２１はレバー２０を握り１０に回動可能に取り付ける支点軸で、この支点軸によってレバー２０はその一端(内端)が弁棒１８の常時突出端に当接し、他端の親指当て２２が常時握り１０の先端外部に配置されるように、握り１０に取り付けられる。
【００１５】
図示例において、握り１０は、噴管１と３個のノズル５の配置平面と実質上同一平面に配置されるように噴管１に取り付けられているが、握り１０を、噴管１と３個のノズル５の配置平面に対して、操作に容易なように所定の角度をつけて取り付けてもよい。
【００１６】
使用に際しては、作業者は親指をレバー２０の親指当て２２にあてがって握り１０を片手で握り、ノズル３を畝に被せたフィルムに突き通し、ノズルの噴射口７をフィルムの下側に置きレバー２０の親指当て２２を押して液を散布する。
【００１７】
図４は、本器を使用する作業例を示す。A図は、畝たて、フィルムFが施され作物Pが定植された圃場でのフィルム内に土壌処理剤、除草剤、殺虫殺菌剤を散布する例である。畝Uの間を歩きながら等間隔でノズルをフィルムに差し込み、レバーを操作して、畝の中央部より下方に向けて片側に散布を行う。反対側も同様にして散布する。散布される液を線で示す。B図は、すでに雑草QがフィルムF内に繁茂している場合で、雑草によりフィルムと土壌の間に空間ができているので、ノズルを畝Uの中央部に差し込み、薬液が作物にかからぬように畝の裾に向けて散布を行うと、薬液は雑草やフィルムに当り跳ね返って広範囲に散布される。C図は、畝Uの土壌にフィルムFが密着している場合で、ノズルをフィルムに差し込んだ後に少し持ち上げると、ノズルのくびれにフィルムが挟まり持ち上げられて土壌とフィルムの間に空間spが出来る。ノズルから噴射された薬液はフィルム下面に当たって跳ね返り、広い範囲に散布される。
【００１８】
いずれの場合も、各ノズルの噴射口の向きをあらかじめ変化調整しておくことにより、あるいはレバー２０の押し具合を変え、または液供給源からの供給量もしくは圧力を変えることによっても、散布量または範囲を変えることが出来る。
【産業上の利用可能性】
【００１９】
本考案は、フィルムに覆われたままの土壌表面への水、肥料、土壌処理剤、殺菌剤、殺虫剤、除草剤等の散布を、作業者が立ったままで疲労が少なく、効率よく行うことができ、特に農作業を主として人力に頼る小規模栽培において、有用である。
【符号の説明】
【００２０】
１・・・噴管（パイプ）
２・・・十字金具
３・・・ノズル取付管
４・・・取付けネジ
５・・・ノズル
６・・・くびれ
７・・・噴射口
８・・・送液路
９・・・湾曲面
１０・・・握り
１１・・・コック
１２・・・取付けネジ
１３・・・折曲送液路
１４・・・グランド
１５・・・取付けネジ
１６・・・弁座
１７・・・弁体
１８・・・弁棒
１９・・・コイルばね
２０・・・操作レバー
２１・・・支点軸
２２・・・親指当て
５１・・・ノズル下端
５２・・・ネジ接続部
F・・・フィルム
L・・・噴射液
P・・・作物
Q・・・雑草
R・・・湾曲面９の曲率
U・・・畝
sp・・・空間
θ・・・散布角
【図１】
0003153397.tif 000003
【図２】
0003153397.tif 000004
【図３】
0003153397.tif 000005
【図４】
0003153397.tif 000006